【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
ＯＣＴ光源からの光を測定光路と参照光路に分割する光分割手段と、前記測定光路を介して被検眼上に照射される測定光を走査する走査手段と、前記測定光による被検眼からの反射光と前記参照光路からの光とが合成された光を検出するための受光素子と、を備えるＯＣＴ光学系を用いて被検眼の断層画像を取得する断層画像取得手段と、
被検眼の正面画像を取得する正面画像取得手段と、
前記断層画像取得によって取得された断層画像と前記正面画像取得手段によって取得された正面画像を動画像としてディスプレイに表示すると共に、被検眼における前記断層画像の取得位置を設定するために前記正面画像上に電子的に表示された第１の測定ラインを検者の操作に応じて移動させる表示制御手段と、を備え、
前記第１の測定ラインを用いて設定された前記断層画像の取得位置に基づいて前記走査手段を制御して被検眼の断層画像を取得する眼科撮影装置であって、
被検眼の位置ずれを検出する位置ずれ検出手段と、
前記検出された位置ずれに基づいて被検眼における前記断層画像の取得位置を補正し、前記第１の測定ラインが検者の操作に応じて移動された前記正面画像上の位置に表示された状態で、前記検出された位置ずれに基づいて前記正面画像上に電子的に表示された第２の測定ラインの位置を前記第１の測定ラインの位置から補正する補正手段と、
を備え、
前記表示制御手段は、検者の操作に応じて、前記第１の測定ラインを前記第２の測定ラインの位置に移動させることを特徴とする眼科撮影装置。
【請求項２】
前記補正手段は、前記検出された位置ずれに基づいて前記走査手段を制御することによって、被検眼における前記断層画像の取得位置を補正することを特徴とする請求項１の眼科撮影装置。
【請求項３】
前記補正手段は、前記ＯＣＴ光学系を少なくとも内蔵する装置本体を移動させる駆動部を備え、前記検出された位置ずれに基づいて前記駆動部を制御することによって、被検眼における前記断層画像の取得位置を補正することを特徴とする請求項１の眼科撮影装置。
【請求項４】
前記表示制御手段は、検者の操作に応じて、ディスプレイに表示されるカーソルが前記第２の測定ラインの上に来たら、前記第１の測定ラインを前記第２の測定ラインの位置に移動させることを特徴とする請求項１乃至３のいずれか１項に記載の眼科撮影装置。
【請求項５】
前記表示制御手段は、検者の操作に応じて、ディスプレイに表示されるカーソルにより前記第２の測定ラインが指示されると、前記第１の測定ラインを前記第２の測定ラインの位置に移動させることを特徴とする請求項１乃至３のいずれか１項に記載の眼科撮影装置。
【請求項６】
被検眼の断層画像の取得位置を示す第１の表示形態を、被検眼の正面画像に表示させ、検者の操作に応じて移動させる表示制御手段と、
前記第１の表示形態を用いて設定された前記断層画像の取得位置に基づいて、被検眼の断層画像を取得する断層画像取得手段と、
被検眼の位置ずれに基づいて被検眼における前記断層画像の取得位置を補正し、前記第１の表示形態が検者の操作に応じて移動された前記正面画像上の位置に表示された状態で、被検眼の位置ずれに基づいて前記正面画像に表示された第２の表示形態の位置を前記第１の表示形態の位置から補正する補正手段と、を備え、
前記表示制御手段は、検者の操作に応じて、前記第１の表示形態を前記第２の表示形態の位置に移動させることを特徴とする眼科撮影装置。
【請求項７】
前記表示制御手段は、検者の操作に応じて、ディスプレイに表示されるカーソルが前記第２の表示形態の上に来たら、前記第１の表示形態を前記第２の表示形態の位置に移動させることを特徴とする請求項６に記載の眼科撮影装置。
【請求項８】
前記表示制御手段は、検者の操作に応じて、ディスプレイに表示されるカーソルにより前記第２の表示形態が指示されると、前記第１の表示形態を前記第２の表示形態の位置に移動させることを特徴とする請求項６に記載の眼科撮影装置。
【請求項９】
前記第１の表示形態は、被検眼における１つの２次元の断層画像の取得位置を示しており、前記１つの２次元の断層画像の取得位置の周辺を囲うように前記正面画像に表示され、
前記第２の表示形態は、前記第１の表示形態が前記第２の表示形態の位置に移動された後に前記補正手段による補正が開始された際には、前記周辺が囲われた前記第１の表示形態の内側に表示されることを特徴とする請求項６乃至８のいずれか１項に記載の眼科撮影装置。
【請求項１０】
ＯＣＴ光源からの光を測定光路と参照光路に分割する光分割手段と、前記測定光路を介して被検眼上に照射される測定光を走査する走査手段と、前記測定光による被検眼からの反射光と前記参照光路からの光とが合成された光を検出するための受光素子と、を備えるＯＣＴ光学系を用いて被検眼の断層画像を取得する断層画像取得手段と、
被検眼の正面画像を取得する正面画像取得手段と、
前記断層画像取得によって取得された断層画像と前記正面画像取得手段によって取得された正面画像を動画像としてディスプレイに表示すると共に、被検眼における前記断層画像の取得位置を設定するために前記正面画像上に電子的に表示された測定ラインを検者の操作に応じて移動させる表示制御手段と、を備え、
前記測定ラインを用いて設定された前記断層画像の取得位置に基づいて前記走査手段を制御して被検眼の断層画像を取得する眼科撮影装置であって、
前記測定ラインは、被検眼における１つの２次元の断層画像の取得位置を示しており、前記表示制御手段は、前記１つの２次元の断層画像の取得位置の周辺を囲うように、前記測定ラインを前記正面画像上に電子的に表示させることを特徴とする眼科撮影装置。
【請求項１１】
ＯＣＴ光源からの光を測定光路と参照光路に分割する光分割手段と、前記測定光路を介して被検眼上に照射される測定光を走査する走査手段と、前記測定光による被検眼からの反射光と前記参照光路からの光とが合成された光を検出するための受光素子と、を備えるＯＣＴ光学系を用いて被検眼の断層画像を取得する断層画像取得手段と、
被検眼の正面画像を取得する正面画像取得手段と、
前記断層画像取得によって取得された断層画像と前記正面画像取得手段によって取得された正面画像を動画像としてディスプレイに表示すると共に、被検眼における前記断層画像の取得位置を設定するために前記正面画像上に電子的に表示された第１の測定ラインを検者の操作に応じて移動させる表示制御手段と、を備え、
前記第１の測定ラインを用いて設定された前記断層画像の取得位置に基づいて前記走査手段を制御して被検眼の断層画像を取得する眼科撮影装置の制御方法であって、
被検眼の位置ずれを検出する工程と、
前記検出された位置ずれに基づいて被検眼における前記断層画像の取得位置を補正し、前記第１の測定ラインが検者の操作に応じて移動された前記正面画像上の位置に表示された状態で、前記検出された位置ずれに基づいて前記正面画像上に電子的に表示された第２の測定ラインの位置を前記第１の測定ラインの位置から補正する工程と、
検者の操作に応じて、前記第１の測定ラインを前記第２の測定ラインの位置に移動させる工程と、
を有することを特徴とする眼科撮影装置の制御方法。
【請求項１２】
被検眼の断層画像の取得位置を示す第１の表示形態を、被検眼の正面画像に表示させ、検者の操作に応じて移動させる表示制御手段と、
前記第１の表示形態を用いて設定された前記断層画像の取得位置に基づいて、被検眼の断層画像を取得する断層画像取得手段と、を備える眼科撮影装置の制御方法であって、
被検眼の位置ずれに基づいて被検眼における前記断層画像の取得位置を補正し、前記第１の表示形態が検者の操作に応じて移動された前記正面画像上の位置に表示された状態で、被検眼の位置ずれに基づいて前記正面画像に表示された第２の表示形態の位置を前記第１の表示形態の位置から補正する工程と、
検者の操作に応じて、前記第１の表示形態を前記第２の表示形態の位置に移動させる工程と、
を有することを特徴とする眼科撮影装置の制御方法。
【請求項１３】
ＯＣＴ光源からの光を測定光路と参照光路に分割する光分割手段と、前記測定光路を介して被検眼上に照射される測定光を走査する走査手段と、前記測定光による被検眼からの反射光と前記参照光路からの光とが合成された光を検出するための受光素子と、を備えるＯＣＴ光学系を用いて被検眼の断層画像を取得する断層画像取得手段と、
被検眼の正面画像を取得する正面画像取得手段と、
前記断層画像取得によって取得された断層画像と前記正面画像取得手段によって取得された正面画像を動画像としてディスプレイに表示すると共に、被検眼における前記断層画像の取得位置を設定するために前記正面画像上に電子的に表示された測定ラインを検者の操作に応じて移動させる表示制御手段と、を備え、
前記測定ラインを用いて設定された前記断層画像の取得位置に基づいて前記走査手段を制御して被検眼の断層画像を取得する眼科撮影装置の制御方法であって、
前記測定ラインは、被検眼における１つの２次元の断層画像の取得位置を示しており、前記１つの２次元の断層画像の取得位置の周辺を囲うように、前記測定ラインを前記正面画像上に電子的に表示させる工程を有することを特徴とする眼科撮影装置の制御方法。
【請求項１４】
請求項１１乃至１３のいずれか１項に記載の眼科撮影装置の制御方法の各工程をコンピュータに実行させることを特徴とするプログラム。